(57)【要約】【課題】動物に快適に適用することができ、麻酔ガスを効率的に届けることができ、かつ、外れにくい動物用ガスマスクを提供する。【解決手段】  動物の頭部を挿入するための挿入口３と、ガスを供給する管路または機器に接続するための接続口４を有する本体部２と、前記本体部２の内壁面５に設けられた第１バルーン６とを備え、前記第１バルーン６の少なくとも一部の壁面は、バルーン内の圧力変化により移動可能であるように構成した。【選択図】図１
2020078468.tif 000002
【特許請求の範囲】
【請求項１】
動物の頭部を挿入するための挿入口と、ガスを供給する機器または管路に接続するための接続口を有する本体部と、
前記本体部の内壁面に設けられた第１バルーンと、を備え、
前記第１バルーンの少なくとも一部の壁面は、バルーン内の圧力変化により移動可能であることを特徴とする、動物用ガスマスク。
【請求項２】
請求項１に記載の動物用ガスマスクであって、
前記本体部は、動物の後頭部と弾力的に係合するためのマスク脱落防止部を有していることを特徴とする動物用ガスマスク。
【請求項３】
請求項２に記載の動物用ガスマスクであって、
前記マスク脱落防止部は、前記挿入口近傍の内壁面に設けられた第２バルーンを含み、
前記第２バルーンの少なくとも一部の壁面は、バルーン内の圧力変化により移動可能であることを特徴とする、動物用ガスマスク。
【請求項４】
請求項１または２のいずれか一項に記載の動物用ガスマスクであって、
前記本体部には、前記第１バルーンに気体を送り込むための第１連通孔を有していることを特徴とする、動物用ガスマスク。
【請求項５】
請求項３に記載の動物用ガスマスクであって、
前記本体部には、前記第２バルーンに気体を送り込むための第２連通孔を有していることを特徴とする、動物用ガスマスク。
【請求項６】
請求項１〜５のいずれか一項に記載の動物用ガスマスクであって、
前記第１バルーンは、前記本体部の内壁面に沿って環状に設けられていることを特徴とする、動物用ガスマスク。
【請求項７】
請求項１〜５のいずれか一項に記載の動物用ガスマスクであって、
前記第１バルーンは、前記本体部の内壁面に沿って複数個が環状に配列されていることを特徴とする、動物用ガスマスク。
【請求項８】
請求項３または５に記載の動物用ガスマスクであって、
前記第２バルーンは、前記本体部の内壁面に沿って環状に設けられていることを特徴とする、動物用ガスマスク。
【請求項９】
請求項３または５に記載の動物用ガスマスクであって、
前記第２バルーンは、前記本体部の内壁面に沿って複数個が環状に配列されていることを特徴とする、動物用ガスマスク。
【請求項１０】
請求項２または３に記載の動物用ガスマスクであって、
前記マスク脱落防止部は、動物の頭部を通すための開孔を有している薄膜を含むことを特徴とする、動物用ガスマスク。
【請求項１１】
請求項２または３に記載の動物用ガスマスクであって、
前記マスク脱落防止部は、動物の後頭部または首と係合して、ガス漏れを防止することを特徴とする、動物用ガスマスク。
【請求項１２】
請求項１〜１１のいずれか一項に記載の動物用ガスマスクであって、
前記本体部は筒形からなることを特徴とする、動物用ガスマスク。
【請求項１３】
請求項１２に記載の動物用ガスマスクであって、
前記本体部は長手方向に略垂直方向の横断面が概略三角筒形であって、
前記挿入口から前記接続口にかけて断面が線形的あるいは非線形的又はそれらの組み合わせにより小さくなっていることを特徴とする、動物用ガスマスク。
【請求項１４】
請求項１２に記載の動物用ガスマスクであって、
前記本体部は長手方向に略垂直方向の横断面が概略ドーム形状であって、
前記挿入口から前記接続口にかけて断面が線形的あるいは非線形的又はそれらの組み合わせにより小さくなっていることを特徴とする、動物用ガスマスク。
【請求項１５】
請求項１〜１４のいずれか一項に記載の動物用ガスマスクであって、
前記第１バルーンは前記本体部の内面に長手方向に長く設けられ、内壁面が柔軟に動物の顔および頭部の側面に幅広く密着するように十分に移動することを特徴とする、動物用ガスマスク。
【請求項１６】
請求項３に記載の動物用ガスマスクであって、
前記本体部と前記第１バルーンと前記第２バルーンは、シリコーン樹脂を含む弾性材料で形成されていることを特徴とする、動物用ガスマスク。
【発明の詳細な説明】
【技術分野】
【０００１】
本発明は、動物用ガスマスクに関する。
【背景技術】
【０００２】
近年のペットブームの影響により、犬猫の他にマウス類、鳥類、爬虫類、両生類をペットとする人が増えている。ペット（本発明はペット以外の動物も対象とするので、以下ではペットを含めて「動物」ということがある。）が病気や怪我をしたとき、手術を受ける機会が増えている。
【０００３】
動物が手術を受ける場合、人間と同様に麻酔を必要とする場合がある。麻酔には、全身麻酔と局所麻酔がある。全身麻酔の一つの方法は麻酔薬の注射である。全身麻酔の他の方法は、口や鼻にガスマスクを装着させて麻酔性ガスを吸わせることである。この全身麻酔は、大きな手術、ＣＴやＭＲＩなどの検査に適している。
【０００４】
しかし、人間と異なり、動物はおとなしく口や鼻の部分にガスマスクを付け続けることが困難である。口や鼻の部分に付ける小型のガスマスクもあるが、動物に使用すると外れやすい問題があった。
【０００５】
このため、動物の麻酔用として、口や鼻の部分だけではなく、頭部全体を囲むガスマスクが使用されていた。このタイプのガスマスクは、内部が麻酔ガスを充満させるハウジングを有している。ハウジングの一端には動物の頭部を挿入する挿入口が設けられている。ハウジングの他端には麻酔ガスの流入口が設けられている。挿入口には、動物の首の周りに係合する開孔を有する弾性膜が張設されている。
【０００６】
上記動物用ガスマスクを使用するときは、動物の頭部を挿入口の弾性膜の開孔に挿入する。これにより、動物の頭部はハウジングに囲まれ、その回りに空間を確保することができる。しかる後に、麻酔ガスの流入口から麻酔ガスを注入して、ハウジングの内部に麻酔ガスを充満させる。弾性膜は動物の首に係合し、シールと外れ防止の機能を果たすようになっている。
【０００７】
特許文献１には、例えば、マウス、ラットのような小型のげっ歯類動物に対して、実験室で麻酔をかけることができる麻酔器が記載されている。特許文献１には、げっ歯類動物（２７）の口と鼻の部分に付けるガスマスク（マスク２６）が示されている。該ガスマスク（マスク２６）は、麻酔性ガスホース（２５）に接続され、拡開する円筒形状を有している。
【先行技術文献】
【特許文献】
【０００８】
【特許文献１】特開２０１６−２０９０３４号公報
【発明の概要】
【発明が解決しようとする課題】
【０００９】
動物の頭部全体を囲む従来のガスマスクは、麻酔ガスを効率的に動物に届けることができない問題がある。具体的には、動物の頭部全体を囲むガスマスクのハウジング内の麻酔ガスが循環されないことがある。
【００１０】
すなわち、上記従来のガスマスクは、挿入口から動物の頭部を挿入した後は、動物の呼吸によってハウジング内に二酸化炭素が優勢的滞留することがある。ハウジング内に二酸化炭素が優勢的滞留すると、麻酔ガスが循環されず、麻酔の効きが悪くなることがある。さらに、重要な問題として、手術中の動物への酸素の供給が少なくなる問題がある。特に、手術中は呼吸機能が低下した状態になるため、動物の健康状態に悪影響が出ることがある。
【００１１】
本発明は、上記の問題を鑑みてなされたものであり、動物に快適に適用することができ、麻酔ガス等を効率的に届けることができる動物用ガスマスクを提供することを目的とする。
【課題を解決するための手段】
【００１２】
上述した課題を解決するために、本発明の一態様に係る動物用ガスマスクは、
動物の頭部を挿入するための挿入口と、ガスを供給する機器に接続するための接続口を有する本体部と、
前記本体部の内壁面に設けられた第１バルーンと、を備え、
前記第１バルーンの少なくとも一部の壁面は、バルーン内の圧力変化により移動可能であることを特徴とする。
【００１３】
前記本体部は、動物の後頭部と弾力的に係合するためのマスク脱落防止部を有していてもよい。
【００１４】
前記マスク脱落防止部は、前記挿入口近傍の内壁面に設けられた第２バルーンを含み、
前記第２バルーンの少なくとも一部の壁面は、バルーン内の圧力変化により移動可能であってもよい。
【００１５】
前記本体部には、前記第１バルーンに気体を送り込むための第１連通孔を有していてもよい。
【００１６】
前記本体部には、前記第２バルーンに気体を送り込むための第２連通孔を有していてもよい。
【００１７】
前記第１バルーンは、前記本体部の内壁面に沿って環状に設けられていてもよい。
【００１８】
前記第１バルーンは、前記本体部の内壁面に沿って複数個が環状に配列されていてもよい。
【００１９】
前記第２バルーンは、前記本体部の内壁面に沿って環状に設けられていてもよい。
【００２０】
前記第２バルーンは、前記本体部の内壁面に沿って複数個が環状に配列されていてもよい。
【００２１】
前記マスク脱落防止部は、動物の頭部を通すための開孔を有している薄膜を含んでいてもよい。
【００２２】
前記マスク脱落防止部は、動物の後頭部または首と係合して、ガス漏れを防止するようにしてもよい。
【００２３】
前記本体部は筒形からなっていてもよい。
【００２４】
前記本体部は長手方向に略垂直方向の横断面が概略三角筒形であって、
前記挿入口から前記接続口にかけて断面が線形的あるいは非線形的又はそれらの組み合わせにより小さくなっていてもよい。
【００２５】
前記本体部は長手方向に略垂直方向の横断面が概略ドーム形状であって、
前記挿入口から前記接続口にかけて断面が線形的あるいは非線形的又はそれらの組み合わせにより小さくなっていてもよい。
【００２６】
前記第１バルーンは前記本体部の内面に長手方向に長く設けられ、内壁面が柔軟に動物の顔および頭部の側面に幅広く密着するように十分に移動するようにしてもよい。
【００２７】
前記本体部と前記第１バルーンと第２バルーンは、シリコーン樹脂を含む弾性材料で形成されていてもよい。
【発明の効果】
【００２８】
本発明によれば、快適に適用することができ、麻酔ガス等を効率的に届けることができる動物用ガスマスクを提供することができる。
【図面の簡単な説明】
【００２９】
【図１】本発明の一実施形態による動物用ガスマスクの斜視図である。
【図２】本発明の一実施形態による動物用ガスマスクの断面図である。
【図３】本発明の一実施形態による動物用ガスマスクを分解して示した斜視図である。
【図４】本発明の一実施形態による動物用ガスマスクの第１バルーンおよび第２バルーンの壁面が、バルーン内の圧力変化により移動する前の一部切断した斜視図である。
【図５】本発明の一実施形態による動物用ガスマスクの第１バルーンおよび第２バルーンの壁面が、バルーン内の圧力変化により移動した後の一部切断した斜視図である。
【図６】本発明の一実施形態による動物用ガスマスクの使用方法を示した説明図である。
【図７】本発明の一実施形態による動物用ガスマスクの使用方法を示した説明図である。
【図８】本発明の他の実施形態による動物用ガスマスクの長手方向の断面図、横断方向の断面図および斜視図である。
【図９】本発明の他の実施形態による動物用ガスマスクの長手方向の断面図、横断方向の断面図および斜視図である。
【図１０】本発明の他の実施形態による動物用ガスマスクの斜視図である。
【図１１】本発明の他の実施形態による動物用ガスマスクの断面図である。
【図１２】本発明の他の実施形態による動物用ガスマスクの斜視図である。
【発明を実施するための形態】
【００３０】
以下に実施形態の例を、図面を用いて説明する。なお、下記のいくつかの実施形態において、同一または類似する構成要素については、同一の符号を付して説明を省略することがある。また、各実施形態においては、特徴的な構成要素を主に説明しており、他の実施形態の構成要素を備えていてもよい。
【００３１】
図１〜３は、本発明の一実施形態による動物用ガスマスク１を示している。そのうち、図１は本実施形態の動物用ガスマスク１の斜視図、図２は該動物用ガスマスク１を長手方向に切断した断面図、図３は、該動物用ガスマスク１を分解して示した斜視図である。以下の説明では、図１〜３を併せて参照し、特定の図面に明らかに図示されている場合はその図面番号を挙げて説明する。
【００３２】
なお、本実施形態の動物用ガスマスク１は、任意のガスを使用することができ、麻酔ガスに限られず、酸素ガスを供給するために使用しても良い。しかし、理解容易のため、以下の説明では、麻酔ガスを念頭に説明する。
【００３３】
本実施形態の動物用ガスマスク１は、異径の二つの円筒を縦に接続した本体部２を有している。本体部２は、異径部分を有しているが全体として概略円筒形になっている。本体部２の内部は空洞になっている。本体部２の外形は任意であって、本実施形態のように概略円筒形でも、筒形でも、箱形でもよい。また、本体部２は、麻酔ガス等を供給する空洞があればよく、空洞の形状は仕切壁の設置を含めて任意である。
【００３４】
本体部２の一端部には、動物の頭部を挿入するための挿入口３が設けられている。本体部２の他端部には、ガスを供給する機器（不図示）接続するための接続口４が設けられている。
【００３５】
接続口４は、麻酔ガスを生成する機器に直接接続しても良いし、該機器から延出しているガス供給管（管路）に接続しても良い。本体部２は接続口４側が小径部になっているのが好ましい。これは後に再度説明するように、動物の口や鼻部にガスを効率よく供給するのに好適だからである。
【００３６】
本体部２は、好ましくはシリコーン樹脂等の弾性材料からなる。本体部２は、射出成形または注型成形によって一体的に成形するのが好ましい。
【００３７】
図２に明らかに示すように、本実施形態の本体部２の内部は空洞になっており、内壁面５を有している。
【００３８】
本体部２の挿入口３側の端部から所定距離内側の内壁面５の周方向に沿って、第１バルーン６が環状に設けられている。第１バルーン６は、図２，３に示すように、一対のシールリング７，８と、シールリング７，８の間に掛け渡された柔軟な壁９を有している。
【００３９】
シールリング７，８及び壁９は、好ましくはシリコーン樹脂等の弾性材料からなる。
【００４０】
シールリング７，８は、本体部２の内壁面５に装着した状態で、内壁面５と密着している。また、シールリング７，８は壁９との間は気密状態で接続している。これにより、内壁面５とシールリング７，８と壁９の間は気密な空間になっている。
【００４１】
本体部２には、第１バルーン６の内部の気密空間に気体を送り込むための第１連通孔１０が設けられている。
【００４２】
第１連通孔１０は、気密状態を保ちながらシリンジやチューブ１１を通すことができるようになっている。また、シリンジのシリンダー等に限られず、第１連通孔１０は任意の気体供給源１２に接続することができる。なお、気体供給源１２は、圧力を制御可能であり、空気を含む無害な気体を供給するものが好ましい。
【００４３】
気体供給源１２から第１連通孔１０を通して第１バルーン６の内部の気密空間に気体を送り込むことにより、第１バルーン６の壁９の壁面の少なくとも一部が、バルーン内の圧力変化により移動可能になっている。
【００４４】
なお、第１連通孔１０を設ける代わりに、注射針によって直接第１バルーン６の内部の気密空間に気体を送り込むようにしてもよい。この場合、本体部２は復元性を有する材料からなるのが好ましい。このようにすることにより、注射針を抜くと、復元性によって孔が閉塞されるからである。
【００４５】
本体部２の挿入口３近傍の内壁面５には、周方向に第２バルーン１３が環状に設けられている。第２バルーン１３は、中心部分に動物の頭部を挿入する開口部１４を有し、全体として環状になっている。図２に明らかに示すように、第２バルーン１３の開口部１４に近い内周部は、内部に気密な空間を有する柔軟な壁１５になっている。第２バルーン１３の外周部は、装着した状態で本体部２の内壁面５に密着している。
【００４６】
第２バルーン１３は、柔軟な壁１５を含めて、好ましくはシリコーン樹脂等の弾性材料によって一体に成形されている。
【００４７】
本体部２には、第２バルーン１３の内周部の気密空間に気体を送り込むための第２連通孔１６が設けられている。第２連通孔１６は、気密状態を保ちながらシリンジやチューブ１７を通すことができるようになっている。また、シリンジ等のシリンダーに限られず、第２連通孔１６は任意の気体供給源１８に接続することができる。気体供給源１８は、圧力を制御可能であるのが好ましい。また、気体供給源１８はヘリウム等無害な気体を供給するものが好ましい。
【００４８】
気体供給源１８から第２連通孔１６を通して第２バルーン１３の内部の気密空間に気体を送り込むことにより、第２バルーン１３の壁１５の少なくとも一部は、バルーン内の圧力変化により移動可能になっている。
【００４９】
なお、第２連通孔１６を設ける代わりに、注射針によって直接第２バルーン１３の内部の気密空間に気体を送り込むようにしてもよい。この場合、本体部２は復元性を有する可撓性の材料からなるのが好ましい。既に説明したように、注射針を抜くと、復元性によって孔が閉塞されるからである。
【００５０】
動物用ガスマスク１が、小鳥用の場合、本体部２の厚みは２．５ｍｍ〜３．５ｍｍ、好ましくは３ｍｍである。挿入口３の内径は、２５ｍｍ〜３５ｍｍ、好ましくは３０ｍｍである。接続口４の内径は、１５ｍｍ〜２５ｍｍ、好ましくは２０ｍｍである。
【００５１】
第１バルーン６の壁９は、膜厚が約０．３ｍｍであって、収縮膨張可能な素材で形成されているのが好ましい。
【００５２】
第２バルーン１３の壁１５は、膜厚が約０．３ｍｍであって、収縮膨張可能な素材で形成されているのが好ましい。
【００５３】
第１連通孔１０と第２連通孔１６の口径は、１．５ｍｍ〜４．５ｍｍが好ましい。第１連通孔１０や第２連通孔１６の口径がシリンジやチューブ１１，１７に合わない場合は継ぎ手等を用いて適宜調整する。また、第１連通孔１０と第２連通孔１６とシリンジやチューブ１１，１７の間に隙間がある場合は、適宜弾性素材でシールするようにしても良い。第１連通孔１０や第２連通孔１６を設けない場合があることは既に説明した通りである。
【００５４】
本実施形態の本体部２は、大径部１９と、小径部２０と、大径部１９から小径部２０に移行する接続部２１を有している。図２に示すように、第１バルーン６を挿入口３から挿入すると、接続部２１の内径が変化する所で第１バルーン６が係止される。これにより、第１バルーン６が必要以上に接続口４側に進まないようになっている。第１バルーン６の寸法は、接続部２１と係合するときに、第１バルーン６が本体部２内の適切な場所に配置されるように寸法決めされている。なお同様の目的で、接続部２１に代えて、段部や、第１バルーン６と係合する凸部を本体部２の内壁面５に設けても良い。
【００５５】
本体部２と第１バルーン６と第２バルーン１３は、シリコーン樹脂等の弾性材料でそれぞれ一体成形した後に、動物用ガスマスク１に組み立てる。最初に、本体部２に第１バルーン６を、本体部２の内径が変化する接続部２１の端部まで挿入する。第１バルーン６のシールリング７，８は、好ましくは本体部２の内壁面５に接着剤によって気密に接着する。次に、第２バルーン１３を本体部２に挿入し、第２バルーン１３の外周部と本体部２の内壁面５を接着剤によって気密に接着する。
【００５６】
次に、動物用ガスマスク１の使用について以下に説明する。
【００５７】
図４と図５は、動物用ガスマスク１の一部を切断して示した斜視図である。このうち、図４は第１バルーン６と第２バルーン１３を膨らませていない状態を示し、図５は第１バルーン６と第２バルーン１３を膨らませた状態を示している。
【００５８】
図４に示すように、第１バルーン６と第２バルーン１３を膨らませていない状態では、壁９と壁１５は縮んだ状態になっている。この時、挿入口３の開口部１４は大きく開き、第１バルーン６の内部は比較的広い空間になっている。
【００５９】
図４の状態から、第１バルーン６と第２バルーン１３を膨らませると図５の状態になる。
第１バルーン６を膨らませるためには、図示しない第１連通孔１０を介して、壁９とシールリング７，８と本体部２の内壁面５によって囲まれ気密空間に気体を注入する。同様に、図示しない第２連通孔１６を介して、第２バルーン１３の内周部（開口部１４の周辺）の気密空間に気体を注入する。
【００６０】
第１バルーン６と第２バルーン１３に使用する気体は、空気やヘリウムを含む動物に無害なガスを使用するのが好ましい。第１バルーン６と第２バルーン１３に注入するガスの圧力は制御可能であることが好ましい。第１バルーン６と第２バルーン１３に注入するガスの量は、本体部２の大きさと動物の大きさによる。
【００６１】
図６と図７に使用時の動物用ガスマスク１と動物との関係を示す。図６は、第１バルーン６と第２バルーン１３を膨らませていない状態を示し、図７は第１バルーン６と第２バルーン１３を膨らませた状態を示している。
【００６２】
本実施形態の動物用ガスマスク１を使用するときは、第１バルーン６と第２バルーン１３を膨らませる前に、図６に示すように、挿入口３から例えば小鳥のような動物２２の頭部２３を挿入する。挿入の程度は、図６に示すように、動物２２の口や鼻の部分が第１バルーン６を通過し、後頭部が第２バルーン１３を通過する程度が好ましい。
【００６３】
この状態で、気体供給源１２と気体供給源１８から空気やヘリウムを含むガスを供給し、第１バルーン６と第２バルーン１３を膨らませるようにする。この結果、図７に示すように、第１バルーン６の壁９が内方に移動する。壁９は第１バルーン６の膨張によって十分に移動することにより、ガスを供給可能な状態で動物２２の口部または鼻周辺部に密着するのが好ましい。第１バルーン６は、動物２２の口部または鼻周辺部に密着しながらも、素材が柔らかいため、動物２２の頭部２３を快適に保持することができる。
【００６４】
一方、第２バルーン１３の壁１５も内方に移動し、動物２２の頭部２３の後方部分に柔らかく当接する。第２バルーン１３の開口部１４は小さくなり、また、第２バルーン１３のバルーンが動物２２の後頭部と係合することにより、動物２２の頭部２３が抜けることを防止することができる。
【００６５】
第２バルーン１３の開口部１４は、好ましくは、動物２２の首の部分にガスが漏れない程度に当接する。
【００６６】
この状態で、接続口４に図示しない例えば麻酔ガスの供給管を接続し、麻酔ガスを注入する。麻酔ガスは、接続口４から本体部２の小径部２０の空間内に流入し、動物２２の口や鼻の部分に届けられる。
【００６７】
第１バルーン６が動物２２の口部または鼻周辺部に密着していることにより、動物２２の口部または鼻は小径部２０内の狭い空間に連通している。小径部２０内の空間は狭いため、新たに供給された麻酔ガスによって素早く充満される。これにより、動物２２の口や鼻に効率的に麻酔ガスを供給することができる。また、動物２２の呼吸によって生じる二酸化炭素は狭い空間により滞留することを抑制できる。新しい麻酔ガスは酸素を含んでいるため、動物２２は麻酔ガスとともに酸素を吸入し、酸素不足になることを軽減できる。これにより、酸素不足による健康への悪影響を防止することができる。
【００６８】
また、第１バルーン６と第２バルーン１３は、二重に動物２２に密着し、二重の障壁になっているため、麻酔ガスが挿入口３の方に漏れることを抑制できる。
【００６９】
この実施形態で明らかなように、第２バルーン１３は、動物の後頭部と弾力的に係合するマスク脱落防止手段になっている。また、第２バルーン１３は、動物２２の後頭部または首と係合して、ガス漏れを防止する手段を兼ねている。
【００７０】
次に、他の実施形態について説明する。
【００７１】
図８は、他の実施形態による動物用ガスマスク１ａを示している。このうち、図８（ａ）は動物用ガスマスク１ａの斜視図、図８（ｂ）は動物用ガスマスク１ａの長手方向の縦断面図、図８（ｃ）は動物用ガスマスク１ａの大径部方向から見た正面図を示している。
【００７２】
動物用ガスマスク１ａは、全体として筒形形状の本体部２ａを有している。より詳細には、本体部２ａは長手方向に略垂直方向の横断面が概略ドーム形状になっている。なお、本体部２ａの断面形状は限定されることなく、概略三角形でもよい。
【００７３】
本体部２ａの横断面の大きさは、長手方向の一端部で大きく、他端部で小さくなっている。本体部２ａの大径側の端部は、動物の頭部を挿入する挿入口３ａになっている。一方、本体部２ａの小径側の端部は、ガスを供給する機器またはガス供給管に接続するための接続口４ａになっている。
【００７４】
本体部２ａの横断面の大きさは、大径側の挿入口３ａから小径側の接続口４ａにかけて線形的あるいは非線形的又はそれらの組み合わせにより小さくなっている。なお、線形的に小さくなっているとは、長手方向距離に比例して小さくなっていることであり、非線形的に小さくなっているとは、長手方向距離に比例せずに例えば曲線的に小さくなっていることである。それらの組み合わせとは、線形と非線形の組み合わせであり、その中には段部も含まれる。
【００７５】
本体部２ａの内壁面５ａには、内壁面５ａに沿って複数個の第１バルーン６ａが環状に配列されている。図８の例では、第１バルーン６ａは内壁面５ａの底面と側面に計三個設けられている。
【００７６】
本体部２ａには、第１バルーン６ａに連通する第１連通孔１０ａが設けられている。第１連通孔１０ａは気体供給源１２ａに連通している。図８では、一つの第１連通孔１０ａのみ示しているが、各第１バルーン６ａに一つの第１連通孔１０ａが設けられているようにしてもよい。また、第１連通孔１０ａは一つで、内部で枝分れして各第１バルーン６ａに連通するようにしてもよい。また、第１連通孔１０ａを省略して本体部２ａを復元性のある素材で形成し、注射針によって直接第１バルーン６ａに気体を注入するようにしてもよい。
【００７７】
本実施形態の本体部２ａの横断面は、概略三角形かドーム形になっていることにより、種々の利点を有している。
【００７８】
すなわち、動物の口や鼻は、正面視で鼻を三角形の頂点として、口が三角形の底辺に配置されている。これに対して本実施形態の第１バルーン６ａは、概略三角形かドーム形の底辺に一つ、側面に二つ配置されている。第１バルーン６ａを膨らませると、動物の口や鼻が第１バルーン６ａの隙間から通気可能に突き出し、側面を快適に支持することができる。この形状によれば、動物の呼吸を楽にしながら、しっかり動物の口や鼻の部分を支持することができる。
【００７９】
第１バルーン６ａは、本体部２ａの内壁面５ａに、その長手方向に長く設けられている。第１バルーン６ａの壁９ａは、柔軟な素材からなり、第１バルーン６ａの膨張により、柔軟に動物の顔および頭部の側面に幅広く密着するように十分に移動する。これにより、対象の動物により第２バルーンや脱落防止手段を省略することができる場合がある。さらに、壁９ａの表面に滑らない処理を施すことにより、脱落防止の効果を高めることができる。
【００８０】
本実施形態によれば、脱落防止手段が無い動物用ガスマスク１ａを得ることができる。
【００８１】
図９は、図８の動物用ガスマスク１ａの変形例を示している。
【００８２】
図９の動物用ガスマスク１ｂは、第１バルーン６ｂに加えて第２バルーン１３ｂを有している。第１バルーン６ｂと第２バルーン１３ｂはそれぞれ、本体部２ｂの内壁面５ｂに沿って周方向に複数個が環状に配列されている。
【００８３】
本体部２ｂが挿入口３ｂと接続口４ｂを有している点や、横断面の大きさは、大径側の挿入口３ｂから小径側の接続口４ｂにかけて線形的あるいは非線形的又はそれらの組み合わせにより小さくなっている点は、図８の実施形態と同様である。
【００８４】
本体部２ｂは、複数個の第１バルーン６ｂの内部に連通する第１連通孔１０ｂを有している。第１連通孔１０ｂは各第１バルーン６ｂに連通するように設けられていてもよいし、一つの第１連通孔１０ｂが内部で枝分れして各第１バルーン６ｂに連通するようにしてもよい。第１連通孔１０ｂは、気体供給源１２ｂに連通している。
【００８５】
同様に、本体部２ｂは、複数個の第２バルーン１３ｂの内部に連通する第２連通孔１６ｂを有している。第２連通孔１６ｂは各第２バルーン１３ｂに連通するように設けられていてもよいし、一つの第２連通孔１６ｂが内部で枝分れして各第２連通孔１６ｂに連通するようにしてもよい。第２連通孔１６ｂは、気体供給源１８ｂに連通している。
【００８６】
この実施形態による動物用ガスマスク１ｂの作用効果は、動物用ガスマスク１ａと同様である。
【００８７】
図１０は、さらに他の実施形態を示している。
【００８８】
本実施形態の動物用ガスマスク１ｃは、第２バルーンに代えて、本体部２ｃの挿入口３ｃ側の端面に、薄膜２４を有している。薄膜２４は弾性素材からなり、中央部に動物の頭部を通すための開孔２５を有している。
【００８９】
薄膜２４は、動物の頭部を挿入した状態で、動物の後頭部と係合し、動物用ガスマスク１ｃの脱落を防止することができる。すなわち、薄膜２４は、動物用ガスマスク１ｃの脱落防止手段になっている。
【００９０】
また、薄膜２４の開孔２５は、動物の頭部を挿入した状態で、動物の首に当接し、麻酔ガスの漏れ防止手段になっている。
【００９１】
動物用ガスマスク１ｃの内部には、第１バルーン（不図示）を設けられており、この第１バルーンと薄膜２４が協働して、動物の頭部を快適にかつ安定的に支持し、かつ、動物の口や鼻の部分に狭い空間を形成して麻酔ガスを効率的に供給し、かつ、麻酔ガスが挿入口３ｃ側から漏れるのを防止することができる。
【００９２】
図１１は、さらに他の実施形態を示している。
【００９３】
この実施形態の動物用ガスマスク１ｄは、図２の動物用ガスマスク１と薄膜２４ｄを組み合わせたものである。薄膜２４ｄは、中央部に動物の頭部を通すための開孔２５ｄを有している。
【００９４】
図２の動物用ガスマスク１と同一の部分には同一の符号を付し、重複する説明を省略する。
【００９５】
この実施形態によれば、薄膜２４ｄに脱落防止手段とガス漏れ防止手段の双方の機能を持たせることもできるし、脱落防止手段としての役割は第２バルーン１３ｄに主に持たせ、主にガス漏れ防止手段としての役割を持たせるようにすることができる。
【００９６】
図１２は、動物用ガスマスクの脱落防止手段の変形例を示している。
【００９７】
本実施形態の動物用ガスマスク１ｅは、図１の動物用ガスマスク１の第２バルーンを省略し、脱落防止手段として弾性紐２６を設けたものである。図１の動物用ガスマスクと同一の部分には同一の符号を付し、重複する説明を省略する。
【００９８】
動物用ガスマスク１ｅは、本体部２ｅを有し、挿入口３ｅと接続口４ｅを有している。本体部２ｅの内壁面５ｅには、第１バルーン６ｅが設けられている。
【００９９】
本体部２ｅの挿入口３ｅの端面には、弾性紐２６が設けられている。弾性紐２６は、図示しない動物の後頭部にかかって係合できるように、適当な長さにするのが好ましい。弾性紐２６の長さや幅や厚さや弾性は対象とする動物によって適宜決めるのが好ましい。また、弾性紐２６の長さを調節可能にすることもできる。
【０１００】
本実施形態によれば、ガスを供給可能に動物の口部または鼻周辺部に密着する第１バルーン６ｅとすることにより、第２バルーンを省略して構造簡単な動物用ガスマスクを得ることができる。
【符号の説明】
【０１０１】
動物用ガスマスク：１、１ａ、１ｂ、１ｃ、１ｄ、１ｅ
本体部：２、２ａ、２ｂ、２ｃ、２ｄ、２ｅ
挿入口：３、３ａ、３ｂ、３ｃ、３ｄ、３ｅ
接続口：４、４ａ、４ｂ、４ｃ、４ｄ、４ｅ
内壁面：５、５ａ、５ｂ、５ｃ、５ｄ、５ｅ
第１バルーン：６、６ａ、６ｂ、６ｄ、６ｅ
シールリング：７、８
壁：９、９ａ、１５
第１連通孔：１０、１０ａ、１０ｂ
シリンジやチューブ：１１、１７
気体供給源：１２、１２ａ、１２ｂ、１８、１８ｂ
第２バルーン：１３、１３ｂ
開口部：１４
第２連通孔：１６、１６ｂ
大径部：１９
小径部：２０
接続部：２１
動物：２２
頭部：２３
薄膜：２４、２４ｄ
開孔：２５、２５ｄ
弾性紐：２６
【図１】
2020078468.tif 000003
【図２】
2020078468.tif 000004
【図３】
2020078468.tif 000005
【図４】
2020078468.tif 000006
【図５】
2020078468.tif 000007
【図６】
2020078468.tif 000008
【図７】
2020078468.tif 000009
【図８】
2020078468.tif 000010
【図９】
2020078468.tif 000011
【図１０】
2020078468.tif 000012
【図１１】
2020078468.tif 000013
【図１２】
2020078468.tif 000014